(57)【要約】【課題】  タンク保管台とタンク搬送台車との間の機外燃料タンクの授受作業を僅かの人員で無理なく行う。緊急事態にも対応できる迅速な作業を可能とする。【解決手段】  タンク保管台は、機外燃料タンク１０を中心線の両側に複数段に支持する保管台本体Ａを備える。保管台本体Ａは、当該保管台本体Ａに横付けされたタンク搬送台車９０に対して機外燃料タンク１０の授受を行うタンク積み下ろし機構Ｂを装備する。タンク積み下ろし機構Ｂは、保管台本体Ａの中心線上に立設され、上端部から両側へ水平アームが延出したＴ字状の固定フレーム４０を有する。固定フレーム４０は、当該フレームのアーム部をスライドガイドとして保管台本体Ａの外側へ引き出され、引き出し位置で保管台本体Ａに横付けされたタンク搬送台車９０上の機外燃料タンク１０を吊り上げるように構成された左右一組のスライド式吊り上げ装置５０，５０を装備する。【選択図】  図１
2006224857.tif 000002
【特許請求の範囲】
【請求項１】
機外燃料タンクを中心線の両側に複数段に支持する保管台本体と、保管台本体に横付けされたタンク搬送台車に対して機外燃料タンクの授受を行うために保管台本体に装備されたタンク積み下ろし機構とを備えており、タンク積み下ろし機構は、保管台本体の中心線上に立設され、上端部から両側へ水平アームが延出したＴ字状の固定フレームと、該固定フレームのアーム部をスライドガイドとして保管台本体の外側へ引き出され、引き出し位置で保管台本体に横付けされたタンク搬送台車上の機外燃料タンクを吊り上げるように構成された左右一組のスライド式吊り上げ装置とを有するタンク保管台。
【請求項２】
前記保管台本体は、中心線両側の各段に機外燃料タンクを前後２ヶ所で支承する構成であり、前記タンク積み下ろし機構を前後２ヶ所のタンク支承位置の間に装備する請求項１に記載のタンク保管台。
【請求項３】
前記保管台本体は車輪を備えた移動式であって、前部及び後部の中心線上に牽引レバーを備えており、該牽引レバーは両側に回動可能であって、回動位置でアウトリガーを兼ねるように構成されている請求項１に記載のタンク保管台。
【請求項４】
左右一組のスライド式吊り上げ装置は、固定フレームの水平部分の前面又は後面の何れか一方に沿ってスライドする水平部と、水平部の外側の端部から下方へ垂下した垂直部とを組み合わせた逆Ｌ字状の可動フレームを備えており、可動フレーム水平部の側端部分にタンク吊り上げ用のウインチを装備すると共に、当該可動フレーム及びウインチを操作する操作部を可動フレーム垂直部の下端部分に装備する請求項１に記載のタンク保管台。
【発明の詳細な説明】
【技術分野】
【０００１】
本発明は、ジェット戦闘機に装備される機外燃料タンクの保管に使用されるタンク保管台に関する。
【背景技術】
【０００２】
ジェット戦闘機に装備される機外燃料タンクの保管には、通常、保管台が使用される。従来の典型的な保管台は、機外燃料タンクを効率よく収納するために、中心線の両側に２段ずつ計４個収納する２段のラック構造になっている。そして、機外燃料タンクを使用するときは、これを保管台からタンク搬送台車に移し替え、機体まで搬送する。一方、使用後に機体から取り外された機外燃料タンクは、タンク搬送台車によって保管台まで搬送される。
【０００３】
しかしながら、このような従来の保管台においてはタンクの積み下ろしに関して次のような問題があった。保管台には空のタンクが保管されるが、空の状態と言えどもその重量は約１６０ｋｇもある。また、その直径は１ｍ近くある。このため、これまでは４人以上で積み下ろし作業を行っていた。その結果、この積み下ろし作業は非常に非効率なものになっていた。加えて、上段への搬入、上段からの搬出は高い位置での作業を伴うため、クレーン、フォークリフト等の機器も必要としていた。
【０００４】
保管台におけるタンク積み下ろし作業の機械化も考えられるが、その作業、特に保管台から搬送台車への移載作業は、戦闘機の特質から短時間にタンクを取り付ける場合が殆どであり、緊急を要するのが通例であるため、これまでは人海戦術でないと対処できないという事情もあった。すなわち、機械化した場合、作業者の負担は軽減されるものの、人海戦術によるような迅速な作業は困難であり、緊急事態に対処できない危険性があった。
【発明の開示】
【発明が解決しようとする課題】
【０００５】
本発明の目的は、タンク搬送台車との機外燃料タンクの授受作業をクレーン、フォークリフト等の機器を必要とせず、しかも僅かの人員で無理なく行え、更には緊急事態にも対応できる迅速な作業が可能な機能的なタンク保管台を提供することにある。
【課題を解決するための手段】
【０００６】
上記目的を達成するために、本発明のタンク保管台は、機外燃料タンクを中心線の両側に複数段に支持する保管台本体と、保管台本体に横付けされたタンク搬送台車に対して機外燃料タンクの授受を行うために保管台本体に装備されたタンク積み下ろし機構とを備えており、タンク積み下ろし機構は、保管台本体の中心線上に立設され、上端部から両側へ水平アームが延出したＴ字状の固定フレームと、該固定フレームのアーム部をスライドガイドとして保管台本体の外側へ引き出され、引き出し位置で保管台本体に横付けされたタンク搬送台車上の機外燃料タンクを吊り上げるように構成された左右一組のスライド式吊り上げ装置とを有している。
【０００７】
本発明のタンク保管台においては、機外燃料タンクを中心線の両側に複数段に支持する保管台本体にタンク積み下ろし機構が装備されている。タンク積み下ろし機構は、保管台本体の中心線上に立設されたＴ字状の固定フレームの水平アーム部をスライドガイドとする左右一組のスライド式吊り上げ装置を装備している。Ｔ字状の固定フレームは、保管台本体の中心線両側に複数段に搭載される機外燃料タンクと干渉しない。左右一組のスライド式吊り上げ装置は、保管台本体の外側へ引き出され、保管台本体に横付けされたタンク搬送台車上の機外燃料タンクを吊り上げる。すなわち各吊り上げ装置は、保管台本体の外側でタンクを吊り上げ、保管台本体に引き込んで載置する。
【０００８】
タンク積み下ろし機構は、Ｔ字状の固定フレームを用い、両側のスライド式吊り上げ装置により保管台の外側で吊り上げ・吊り下ろし作業を行うため、保管台本体と干渉しない。このため、保管台本体は従来の保管台と実質的に同じ構造を採用でき、タンク内のリブ等により補強された理想的な位置を支持することができる。保管台本体に横付けられるタンク搬送台車についても従来のものをそのまま使用でき、経済的である。両側のスライド式吊り上げ装置のそれぞれが、Ｔ字状固定フレームの水平部全体、すなわち両側の水平アーム部の一端から他端までをスライドガイドとして利用できる。このため、片側のスライド式吊り上げ装置が保管台本体の外側に引き出された場合も安定性が高い。スライド操作は労力を要しないので、手動で瞬時に行うことができ、これにより迅速な作業が可能になる。
【０００９】
保管台本体は、中心線両側の各段に機外燃料タンクを前後２ヶ所で支承する構成が好ましい。これにより、従来どおりにタンク内のリブ等により補強された理想的な位置でタンクを支持することができる。この場合、タンク積み下ろし機構は前後２ヶ所のタンク支承位置の間に一基装備すればよい。
【００１０】
保管台本体は又、車輪を備えた移動式が好ましい。その場合、前部及び後部の中心線上に牽引レバーを取付け、その牽引レバーを両側に回動可能として、回動位置でアウトリガーを兼ねる構成とするのが好ましい。この構成により、保管台本体の片側でタンクを操作する場合の安定性を更に向上させることができる。
【００１１】
左右一組のスライド式吊り上げ装置は、固定フレームの水平部分の前面又は後面の何れか一方に沿ってスライドする水平部と、水平部の外側の端部から下方へ垂下した垂直部とを組み合わせた逆Ｌ字状の可動フレームを備えており、可動フレーム水平部の側端部近傍にタンク吊り上げ用のウインチを装備すると共に、当該可動フレーム及びウインチを操作する操作部を可動フレーム垂直部の下端部近傍に装備する構成が好ましい。この構成により、操作部が低い位置に下がり、操作性が特に良好となる。
【発明の効果】
【００１２】
本発明のタンク保管台は、機外燃料タンクを中心線の両側に複数段に支持する保管台本体と、保管台本体の中心線上に立設されたＴ字状の固定フレームの水平アーム部をスライドガイドとする左右一組のスライド式吊り上げ装置を装備したタンク積み下ろし機構とを具備することにより、保管台本体に横付けされたタンク搬送台車に対して、機外燃料タンクをクレーン、フォークリフト等の機器を使わずに僅かの人員で無理なく授受することができ、合理化に寄与する。しかも、緊急事態に対しても対応が可能な迅速な作業を行うことができ、非常に機能的である。
【発明を実施するための最良の形態】
【００１３】
以下に本発明の実施形態を図面に基づいて説明する。図１は本発明の一実施形態を示すタンク保管台の斜視図、図２は同タンク保管台の正面図、図３は同タンク保管台の側面図、図４は同タンク保管台の平面図、図５は同タンク保管台におけるスライド式吊り上げ装置の主要部を示す斜視図である。
【００１４】
本実施形態のタンク保管台は、図１〜図４に示すように、４個の機外燃料タンク１０を中心線の両側に２段に収納するラック式の保管台本体Ａと、機外燃料タンク１０を積み下ろしするために保管台本体Ａに取付けられたタンク積み下ろし機構Ｂとからなる。紡錘形の機外燃料タンク１０は、機体から外された後、牽引式のタンク搬送台車９０により当該保管台まで搬送され、また当該保管台から機体まで搬送される。タンク搬送台車９０は従来から使用されているものである。
【００１５】
保管台本体Ａは、角枠状のベース部２０と、ベース部２０の前部及び後部に立設されたタンク支持部３０，３０とを備えている。ベース部２０は、中心線の両側に機外燃料タンク１０をそれぞれ支持する構成になっており、より詳しくは、中心線の両側で前後の横材２１，２１により機外燃料タンク１０，１０の前後の定位置を下から支持する。機外燃料タンク１０の支持位置は予め指定されており、内部をリブで補強された部分である。このタンク支持のために、前後の横材２１，２１には左右一組の受け座２２，２２が設けられている。
【００１６】
ベース部２０は又、四隅部にキャスター２３を装備する可動式であり、前部及び後部に牽引バー２４，２４を装備している。前後の牽引バー２４，２４は基部を中心として両側へ直角状態まで回動可能であり、側方へ回動した状態でベース部２０の外側へ大きく張り出すことによりアウトリガーを兼ねる。
【００１７】
前後のタンク支持部３０，３０は、前後の横材２１，２１の中央部に立設された垂直な支柱３１，３１と、支柱３１，３１の各上端部にＴ状に取付けられた水平な横材３２，３２とを有している。横材３２，３２は、ベース部２０の横材２１，２１の真上にあってこれらと同じ長さであり、下段の横材２１，２１で支持された両側の機外燃料タンク１０，１０の上に、機外燃料タンク１０，１０を同じ定位置で支持する。この支持のために、前後の横材３２，３２にも左右一組の受け座３３，３３が設けられている。
【００１８】
タンク積み下ろし機構Ｂは、保管台本体Ａの前後方向の中央部、すなわち前後のタンク支持部３０，３０の間の中間点に設けられている。この積み下ろし機構Ｂは、ベース部２０の前後の横材２１，２１の間に設けられた中間の横材２５の中央部に立設されたＴ状の固定フレーム４０と、これに装備された左右一組のスライド式吊り上げ装置５０，５０とを備えている。
【００１９】
固定フレーム４０は、前記横材２５の中央部に立設された垂直な支柱４１と、支柱４１の上端部にＴ状に連結された水平な横材４２とを有している。横材４２は、ベース部２０の両側部分に２段に搭載される機外燃料タンク１０より高い位置にあり、且つベース部２０の幅と概ね同じ長さに設定されている。支柱４１の両側に張り出すこの横材４２はＨ型材からなり、対向する２つのフランジが上下で水平になり、上下フランジ間のウエブが垂直となる姿勢に固定されている。
【００２０】
左右一組のスライド式吊り上げ装置５０，５０は、固定フレーム４０の横材４２に取付けられている。これらの吊り上げ装置５０，５０は、何れも逆Ｌ状の可動フレーム６０と、これに取付けられたタンク吊り上げ用のウインチ７０とを有している。可動フレーム６０は、固定フレーム４０の横材４２とほぼ同じ長さの水平部６１と、水平部６１の外側の端部から下方に垂下した垂直部６２とからなり、水平部６１は横材４２をガイドとして水平方向へスライド自在に支持されている。可動フレーム６０，６０の水平部６１，６１同士の干渉を回避するために、一方の水平部６１は横材４２の前面側の上下フランジ間に嵌合しており、他方の水平部６１は横材４２の後面側の上下フランジ間に嵌合している。
【００２１】
水平部６１のスライドにより、可動フレーム６０は収納位置Ｘと使用位置Ｙとの間を往復移動する。収納位置Ｘでは、水平部６１は横材４２と重なる。垂直部６２は、保管台本体Ａの片側に支持された機外燃料タンク１０に接触しない範囲内で固定フレーム４０の横材４２に最も接近し、保管台本体Ａの片側に支持された機外燃料タンク１０の中心線上に、後述するワイヤの垂下部を位置させる。一方、使用位置Ｙでは、水平部６１は横材４２の外側へほぼ半分が突出する。垂直部６２は固定フレーム４０から離れ、保管台本体Ａにタンク搬送台車９０を横付けしたとき、そのタンク搬送台車９０に載置された機外燃料タンク１０の中心線上に、後述するワイヤの垂下部を位置させる。これを実現するために、可動フレーム６０の外側へのスライド量Ｓは機外燃料タンク１０の直径より若干大きく設定されている。
【００２２】
可動フレーム６０の垂直部６２は、その下端部に作業者の手が容易に届くように、固定フレーム４０の高さのほぼ１／２の長さに設定されており、その下端部には、可動フレーム６０を手動でスライド操作するためのグリップ６３，６３が取付けられている。
【００２３】
ウインチ７０は、図５に示すように、可動フレーム６０の水平部６１の外側の端部近傍に設けられたドラム７１を有している。ドラム７１は、ここでは垂直部６２の上端部から内側へ延出した水平な支持板６４上に回転自在に支持された水平な回転軸７２の奥側の端部に取付けられている。回転軸７２の端側の端部はセルフロック式減速機７３の出力軸と接続されており、セルフロック式減速機７３の入力軸には歯車７４が取付けられている。そして歯車７４は、可動フレーム６０の垂直部６２の下端部に取付けられた操作ハンドル７５と図示されないチェーンによって連結されており、この操作ハンドル７５によって正逆両方向へ手動で回転操作される。
【００２４】
ウインチ７０のドラム７１にはワイヤ７６が巻回されている。ワイヤ７６の両端部はドラム７１から相反する方向へ同じ長さだけ延出している。ワイヤ７６の一方の端部は、当該保管台の前部側へ延出しプーリ７７を介して下方へ垂下しており、その下端部にはフック７８が取付けられている。ワイヤ７６の他方の端部は、当該保管台の後部側へ延出しプーリ７７を介して下方へ垂下しており、その下端部にはフック７８が取付けられている。前後のプーリ７７，７７は、可動フレーム６０の水平部６１の端部に直角に取付けられたアーム６５の両端部に支持されており、ワイヤ７６の両方の垂下部の間隔を機外燃料タンク１０の前後のフック１１，１１の間隔に一致させている。ワイヤ７６の両方の垂下部は、機外燃料タンク１０の揺れ止めのために前後のガイド６６，６６により支持されている。
【００２５】
すなわち、前後のガイド６６，６６は、可動フレーム６０の垂直部６２に沿って昇降自在であると共に、各基部を中心に水平方向に回転自在であり、且つ先端部をワイヤ７６の両方の垂下部が先端部を貫通する。そして、フック７８，７８によって下方から支持されており、フック７８，７８の昇降に伴って昇降することにより、フック７８，７８の近傍でワイヤ７６の両方の垂下部を支持し、懸吊する機外燃料タンク１０の触れを止める。
【００２６】
機外燃料タンク１０の前後のフック１１，１１は当該タンクの中央部近傍に設けられており、保管台本体Ａによる前後の支持位置より十分に中央寄りである。
【００２７】
次に、本実施形態のタンク保管台の使用方法及び機能について説明する。まず当該タンク保管台へ機外燃料タンク１０を搬入する場合について説明する。
【００２８】
タンク積み下ろし機構Ｂにおいて、両側のスライド式吊り上げ装置５０，５０の可動フレーム６０，６０は収納位置Ｘに押し込まれている。ウインチ７０，７０におけるワイヤ７６，７６の両垂下部は上限まで巻き上げられている。
【００２９】
機体から取り外した機外燃料タンク１０を、従来から使用されている牽引式のタンク搬送台車９０に載せ、当該タンク保管台のところへ運ぶ。そのタンク搬送台車９０を保管台本体Ａのベース部２０の横に横付けする。横付けした側の吊り上げ装置５０の可動フレーム６０を外側の使用位置Ｙまで引き出す。具体的には、作業者が両手でグリップ６３，６３をもち、可動フレーム６０を外側へ引き出す。これにより、ウインチ７０におけるワイヤ７６の両垂下部は、タンク搬送台車９０に載置された機外燃料タンク１０のフック１１，１１の真上に位置する。この状態でワイヤ７６の両垂下部が下がる方向へハンドル７５を操作する。両垂下部の下端に取付けられたフック７８，７８を機外燃料タンク１０のフック１１，１１に引っ掛ける。ハンドル７５を逆方向へ操作してワイヤ７６の両垂下部をドラム７１に巻き取り、機外燃料タンク１０を引き上げる。
【００３０】
機外燃料タンク１０が保管台本体Ａの下段、すなわちフレーム部２０に載置可能な高さまで引上げられると、吊り上げ装置５０の可動フレーム６０を内側の収納位置Ｘへ押し込む。ハンドル７５を操作してワイヤ７６の両垂下部を僅かに下げることにより、機外燃料タンク１０がフレーム部２０の片側に載置される。かくして、保管台本体Ａの下段の片側に機外燃料タンク１０がクレーン、フォークリフト等の機器を使用することなく収納される。
【００３１】
次の機外燃料タンク１０は、保管台本体Ａの下段の反対側に同様にして収納される。その次の機外燃料タンク１０は、保管台本体Ａの上段の何れかの側に収納される。
【００３２】
具体的には、機外燃料タンク１０が搭載されたタンク搬送台車９０を保管台本体Ａに横付けし、吊り上げ装置５０の可動フレーム６０を外側の使用位置まで引き出す。ハンドル７５を操作して、ワイヤ７６の両垂下部を下げ、フック７８，７８を機外燃料タンク１０のフック１１，１１に引っ掛ける。ハンドル７５を逆方向へ操作してワイヤ７６の両垂下部をドラム７１に巻き取り、機外燃料タンク１０を引き上げる。
【００３３】
保管台本体Ａの上段、すなわち前後のタンク支持部３０，３０に載置可能な高さまで引上げられると、吊り上げ装置５０の可動フレーム６０を内側の収納位置Ｘへ押し込む。このとき下段に収納された機外燃料タンク１０との干渉は生じない。ハンドル７５を操作してワイヤ７６の両垂下部を僅かに下げることにより、機外燃料タンク１０がタンク支持部３０，３０の片側に載置される。かくして、保管台本体Ａの上段の片側に機外燃料タンク１０がクレーン、フォークリフト等の機器を使用することなく収納される。
【００３４】
最後の機外燃料タンク１０は、保管台本体Ａの上段の反対側に同様にして収納される。このようにして、４つの機外燃料タンク１０が保管台本体Ａの中心線両側に下段から順番  に収納される。作業者は一人でよく、二人もいれば十分であり、従来の４人以上と比べて大幅な合理化が達成される。しかもクレーン、フォークリフト等の機器を使用する必要がない。
【００３５】
保管台本体Ａの側方で機外燃料タンク１０の積み込みを行うとき、重心が積み込み側へ移動するが、転倒しないように当該タンク保管台の重量、重心位置等が設計されている。加えて、積み込み作業は必ず下段優先で行われる。先に上段への積み込みを行うと、上段の機外燃料タンク１０にワイヤ７６の両垂下部が干渉し、下段への積み込みを行うことができない。この制約のため、上段への積み込みを行うとき、その下段には機外燃料タンク１０が収納されていることになり、これも安定性の向上に寄与する。前後の牽引バー２４，２４を作業側へ回動させておけば、これがアウトリガーとして機能し、安定性、安全性は一層向上する。
【００３６】
保管台本体Ａから機外燃料タンク１０を搬出するときは、タンク積み下ろし機構Ｂの両側のスライド式吊り上げ装置５０，５０を使用し、搬入のとは逆の手順により、上段の機外燃料タンク１０から順番にタンク搬送台車９０に移載する。
【００３７】
この作業も、吊り上げ装置５０のスライド操作、ハンドル７５の回転操作及びフック７８，７８の引っ掛けにより迅速に行うことができ、作業者についても一人乃至は二人で十分なため、大幅な合理化が可能となる。また作業が楽で、作業者の負担が軽減される。更にクレーン、フォークリフト等の機器を使用する必要がない。そして何よりも、非常に迅速な作業が可能であるので、緊急事態における戦闘機への取付けでも問題のない対応が可能である。
【００３８】
これに加え、本実施形態のラック保管台では、ドラム７１とハンドル７５の間にセルフロック式減速機７３が介在している。このため、機外燃料タンク１０の昇降操作を楽に行うことができるだけでなく、ハンドル７５から手を離してもドラム７１が勝手に回転しない。このため操作がより楽になり、何よりも高い安全性が確保される。
【図面の簡単な説明】
【００３９】
【図１】本発明の一実施形態を示すタンク保管台の斜視図である。
【図２】同タンク保管台の正面図である。
【図３】同タンク保管台の側面図である。
【図４】同タンク保管台の平面図である。
【図５】同タンク保管台におけるスライド式吊り上げ装置の主要部を示す斜視図である。
【符号の説明】
【００４０】
Ａ  保管台本体
Ｂ  タンク積み下ろし機構
１０  機外燃料タンク
１１  フック
２０  ベース部
３０  タンク支持部
４０  固定フレーム
５０  スライド式吊り上げ装置
６０  可動フレーム
６３  グリップ
７０  ウインチ
７１  ドラム
７５  ハンドル
７６  ワイヤ
７８  フック
９０  タンク搬送台車
【図１】
2006224857.tif 000003
【図２】
2006224857.tif 000004
【図３】
2006224857.tif 000005
【図４】
2006224857.tif 000006
【図５】
2006224857.tif 000007